(57)【要約】【課題】引出体の寸法形状の大小に関わらず、引出体の係合解除を簡便に行うことができるキャビネットを提供すること。【解決手段】引出体１３の側板１３ｂ外面に、引出位置においてキャビネットの本体２所定箇所に係合して踏み台付き引出体１１の引き出し方向の移動を規制する係合位置と、この係合位置から退避した係合解除位置と、の間で移動自在に設けられ、係合位置から係合解除位置までの移動操作が可能な係合レバー１６と、係合解除位置まで移動操作した係合レバー１６をこの係合解除位置にて保持するための保持手段１７と、を少なくとも備える。【選択図】図４
2008228754.tif 000002
【特許請求の範囲】
【請求項１】
上面が開口する箱状に形成された引出体と、該引出体の上面開口を開閉自在とする踏み台と、からなる踏み台付き引出体が、本体の内部に収納された収納位置と該収納位置から前記本体の外方に向けて引き出された引出位置との間で移動自在に設けられたキャビネットであって、
前記引出体の外側面に、前記引出位置において前記キャビネットの本体所定箇所に係合して前記踏み台付き引出体の引き出し方向の移動を規制する係合位置と、該係合位置から退避した係合解除位置と、の間で移動自在に設けられ、前記係合位置から前記係合解除位置までの移動操作が可能な係合レバーと、
前記係合解除位置まで移動操作した前記係合レバーを該係合解除位置にて保持するための保持手段と、
を少なくとも備えることを特徴とするキャビネット。
【請求項２】
前記本体側に設けられ、前記踏み台付き引出体を収納する際に前記係合レバーに当接して前記保持手段による保持状態を解除し、前記係合レバーを前記係合位置と前記係合解除位置との間の係合待機位置まで移動させる保持状態解除部材を更に備えることを特徴とする請求項１に記載のキャビネット。
【請求項３】
前記踏み台付き引出体は、前記キャビネットの本体に固定される固定レールと、該固定レールに対して摺動自在に設けられ、前記引出体の側板に取り付けられる摺動レールと、により移動自在に設けられており、
前記係合レバーは、前記係合待機位置において前記固定レールの上部に載置されるとともに、前記係合位置において前記摺動レールの上部に載置され、前記キャビネットの本体所定箇所である前記固定レールの前端に係合することを特徴とする請求項１または２に記載のキャビネット。
【請求項４】
前記係合レバーは、前記引出体の側板の外面に沿って、移動自在に設けられていることを特徴とする請求項１ないし３のいずれかに記載のキャビネット。
【請求項５】
前記係合レバーは、前記引出体の側板の外面に沿って、前後幅方向にわたり延設されていることを特徴とする請求項１ないし４のいずれかに記載のキャビネット。
【請求項６】
前記保持手段はマグネットであり、前記係合レバーを磁力により保持可能であるとともに、前記保持状態解除部材は、前記係合レバーに当接可能に設けられた解除ピンであることを特徴とする請求項２ないし５のいずれかに記載のキャビネット。
【請求項７】
前記係合レバーは、前記引出体の左右側板に一対に設けられていることを特徴とする請求項１ないし６のいずれかに記載のキャビネット。
【発明の詳細な説明】
【技術分野】
【０００１】
本発明は、上面が開口する箱状に形成された引出体と、この引出体の上面開口を開閉自在とする踏み台と、からなる踏み台付き引出体が、本体の内部に収納された収納位置とこの収納位置から本体の外方に向けて引き出された引出位置との間で移動自在に設けられたキャビネットに関する。
【背景技術】
【０００２】
従来のキャビネットは、キャビネット本体の左右両側板内面にそれぞれ設置された固定レールと、引出体の左右両側板外面にそれぞれ設置された摺動レールと、により引出体が移動自在に設けられているとともに、引出体が引出された状態を保持するロック機構と、このロック機構を解除するロック解除機構とが設けられている（例えば、特許文献１参照）。
【０００３】
【特許文献１】特開２００４−２９８４３３号公報（第４頁、第７図）
【発明の開示】
【発明が解決しようとする課題】
【０００４】
しかしながら、特許文献１にあっては、操作者が引出体に設けられたロック解除機構を押圧操作し、この押圧操作をした状態で引出体を押込み操作する必要があった。特に、引出体の寸法形状が大きくなるに従い、ロック解除機構の押圧操作と引出体の押込み操作との同時操作が困難になっていた。
【０００５】
本発明は、このような問題点に着目してなされたもので、引出体の寸法形状の大小に関わらず、引出体の係合解除を簡便に行うことができるキャビネットを提供することを目的とする。
【課題を解決するための手段】
【０００６】
上記課題を解決するために、本発明の請求項１に記載のキャビネットは、
上面が開口する箱状に形成された引出体と、該引出体の上面開口を開閉自在とする踏み台と、からなる踏み台付き引出体が、本体の内部に収納された収納位置と該収納位置から前記本体の外方に向けて引き出された引出位置との間で移動自在に設けられたキャビネットであって、
前記引出体の外側面に、前記引出位置において前記キャビネットの本体所定箇所に係合して前記踏み台付き引出体の引き出し方向の移動を規制する係合位置と、該係合位置から退避した係合解除位置と、の間で移動自在に設けられ、前記係合位置から前記係合解除位置までの移動操作が可能な係合レバーと、
前記係合解除位置まで移動操作した前記係合レバーを該係合解除位置にて保持するための保持手段と、
を少なくとも備えることを特徴としている。
この特徴によれば、引出体を収納位置から引き出して使用する際には、引出位置において係合レバーを係合位置まで移動して本体所定箇所に係合することで、引き出し方向への移動が規制される。収納する際には、係合レバーを移動操作して保持手段に保持させておくことができるため、引出体の寸法形状が大きい場合でも、係合レバーを確実に係合解除位置に保持した状態で収納することができる。
【０００７】
本発明の請求項２に記載のキャビネットは、請求項１に記載のキャビネットであって、
前記本体側に設けられ、前記踏み台付き引出体を収納する際に前記係合レバーに当接して前記保持手段による保持状態を解除し、前記係合レバーを前記係合位置と前記係合解除位置との間の係合待機位置まで移動させる保持状態解除部材を更に備えることを特徴としている。
この特徴によれば、引出体を収納位置に収納することで、係合解除位置に保持された係合レバーは保持状態解除部材により係合待機位置まで移動するため、次回引き出すときに係合レバーが保持手段により保持されたままで係合が行われないといった事態を回避できる。
【０００８】
本発明の請求項３に記載のキャビネットは、請求項１または２に記載のキャビネットであって、
前記踏み台付き引出体は、前記キャビネットの本体に固定される固定レールと、該固定レールに対して摺動自在に設けられ、前記引出体の側板に取り付けられる摺動レールと、により移動自在に設けられており、
前記係合レバーは、前記係合待機位置において前記固定レールの上部に載置されるとともに、前記係合位置において前記摺動レールの上部に載置され、前記キャビネットの本体所定箇所である前記固定レールの前端に係合することを特徴としている。
この特徴によれば、引出体を引き出し方向に移動自在に支持する固定レール及び摺動レールを利用して係合レバーを係合位置において係合させることができるため、キャビネット本体側に被係合部等を別個に設けなくて済む。
【０００９】
本発明の請求項４に記載のキャビネットは、請求項１ないし３のいずれかに記載のキャビネットであって、
前記係合レバーは、前記引出体の側板の外面に沿って、移動自在に設けられていることを特徴としている。
この特徴によれば、左右幅方向にスペースをとらずに済むため、収納本体の左右幅方向の収納スペースが小さくなることを防止できる。
【００１０】
本発明の請求項５に記載のキャビネットは、請求項１ないし４のいずれかに記載のキャビネットであって、
前記係合レバーは、前記引出体の側板の外面に沿って、前後幅方向にわたり延設されていることを特徴としている。
この特徴によれば、係合レバーの移動操作を引出体の前方側で簡便に行うことができる。
【００１１】
本発明の請求項６に記載のキャビネットは、請求項２ないし５のいずれかに記載のキャビネットであって、
前記保持手段はマグネットであり、前記係合レバーを磁力により保持可能であるとともに、前記保持状態解除部材は、前記係合レバーに当接可能に設けられた解除ピンであることを特徴としている。
この特徴によれば、係合レバーの保持及び保持解除を簡単な機構で行うことができる。
【００１２】
本発明の請求項７に記載のキャビネットは、請求項１ないし６のいずれかに記載のキャビネットであって、
前記係合レバーは、前記引出体の左右側板に一対に設けられていることを特徴としている。
この特徴によれば、引出体の左右側板に一対に設けられた係合レバーにより、引出体の左右幅寸法が大きい場合であっても、引出体を左右方向に安定して本体所定箇所に係合させることができる。
【発明を実施するための最良の形態】
【００１３】
本発明の実施例を以下に説明する。
【実施例】
【００１４】
本発明の実施例を図面に基づいて説明すると、先ず図１は、本発明の実施例におけるキッチン台の全体像を示す斜視図である。図２（ａ）は、キッチン台の上面図であり、（ｂ）は、キッチン台の背面図であり、（ｃ）は、右側面図である。図３（ａ）、はキッチン台の本体に収納された踏み台付き引出体を示す右側面図であり、（ｂ）は、キッチン台の本体から引出された踏み台付き引出体を示す背面図である。図４（ａ）は、収納位置と引出位置との間における踏み台付き引出体を示す拡大側面図であり、（ｂ）は、引出位置における踏み台付き引出体を示す拡大側面図であり、（ｃ）は、収納位置における踏み台付き引出体を示す拡大側面図である。図５は、踏み台の開閉状況を示す側面図である。
【００１５】
図１及び図２に示されるように、本実施例におけるキャビネットとしてのキッチン台１は、いわゆるアイランド型のキッチン台であって、各種の収納部を備えた本体２と、本体２の上面に載置された天板３とから主として構成されている。図１紙面左上側、図２（ａ）紙面上側が、キッチン台１の正面である。以下、キッチン台１の右側とはキッチン台１の正面側に立って右側のことであり、キッチン台１の左側とはキッチン台１の正面側に立って左側のことであり、キッチン台１の背面側とはキッチン台１を挟んで正面側と対向する側のことであるものとする。
【００１６】
キッチン台１の天板３には、左側の側面との角部に調理部としてのコンロ４が設けられているとともに、右側の側面との角部にシンク５が設けられている。コンロ４の背面側には、水分等の飛散防止用のパネル６が天板３から立設されている。また、正面側に立って中央側は調理部として調理台７が設けられ、この調理台７に連続して、背面側も調理部としての調理台８が設けられている。更に、キッチン台１の全周に沿って、側面には収納部としての開き戸９若しくは図示しない引出しが適宜設けられ、右側の側面には備え付けの食器洗浄機１０が設けられている。
【００１７】
キッチン台１は、基本的には、主調理者が正面側に立って調理を行うように出来ているが、調理者がキッチン台１の全周に沿って行動出来るように成っており、すなわちキッチン台１の正面側のみでなく、左右両側面若しくは背面側を利用しての調理が可能となる。このような形態のキッチン台１においては、調理者が複数である場合でもキッチン台１の全周を利用した調理が可能である。
【００１８】
次に、キッチン台１には、キッチン台１が載置された床面に対し所定高さ有する踏み台付き引出体１１、２１が設けられている。踏み台付き引出体１１を出し入れするための出入口１９が、キッチン台１の正面とは異なる右側の側面に、すなわちキッチン台１の正面に設けられた上キャビネット（図示略）に対し略９０度向きを変えた右側の側面における下部において設けられている。そして、この出入口１９に踏み台付き引出体１１が嵌挿され、本体２の内部に収納された収納位置と、この収納位置から外方、すなわち右側外方に向けて十分に引き出された引出位置との間で移動自在に設けられている。同様に、踏み台付き引出体２１を出し入れするための出入口２９が、キッチン台１の背面側における下部において設けられており、この出入口２９に踏み台付き引出体２１が嵌挿され、上記と同様の収納位置と引出位置との間で移動自在に設けられている。
【００１９】
このように出入口１９、２９が、例えば主調理者が対峙するキッチン台１の本体２の正面とは異なる方向を向く側面及び／または背面に設けられていることで、主調理者の行動を妨げることなく、子供等の副調理者が踏み台を利用して主調理者とともに調理作業を行うことができる。
【００２０】
また、キッチン台１の天板３における本体２の正面と側面との角部には、シンク５及びコンロ４が設けられており、出入口１９が、本体２の側面におけるシンク５及びコンロ４との対向位置下方に配設されていることで、主調理者はシンク５またはコンロ４を本体２の正面側から利用しているときでも、子供等の副調理者は踏み台付き引出体１１を利用して、同じシンク５またはコンロ４を本体２の側面側、つまり主調理者とは別の方向から利用することができるため、主調理者の行動を妨げることがない。
【００２１】
更に、キッチン台１の天板３にシンク５及びコンロ４が設けられており、出入口２９が、本体２の背面におけるコンロ４との対向位置下方に配設されていることで、主調理者はシンク５またはコンロ４を本体２の正面側から利用しているときでも、子供等の副調理者は踏み台付き引出体２１を利用して、同じシンク５またはコンロ４を本体２の背面側、つまり主調理者とは別の方向から利用することができるため、主調理者の行動を妨げることがない。
【００２２】
踏み台付き引出体１１は、調理者などが上面に載上可能な踏み台１２と、この踏み台１２の下方において物品を収納可能な収納部１３ａを有する箱状の引出体１３と、から構成されている。同様に、踏み台付き引出体２１は、調理者などが上面に載上可能な踏み台２２と、この踏み台２２の下方において物品を収納可能な収納部を有する箱状の引出体２３と、から構成されている。
【００２３】
以下、踏み台付き引出体１１、２１は同様の構造を有しているため、踏み台付き引出体１１の構造について説明し、踏み台付き引出体２１の構造については説明を省略する。
【００２４】
踏み台付き引出体１１の引出体１３は上方に開口した箱状に形成され、この開口を開閉可能に、踏み台１２が引出体１３にヒンジ部２４及び連結部材２５により連結されており、踏み台１２と引出体１３とは、収納位置と引出位置との間を一体に移動するようになっている。
【００２５】
このように、踏み台付き引出体１１が、上面に載上可能な踏み台１２と、物品を収納可能な収納部１３ａを有する引出体１３と、から構成されていることで、踏み台１２の下方の空間も収納部１３ａとして有効利用できる。
【００２６】
次に、図３（ａ）、（ｂ）に示されるように、踏み台付き引出体１１の移動について説明すると、先ず、本体２の出入口１９と連通する内部における踏み台付き引出体１１の収納空間を構成する左右の側板２ａ、２ａの内面には、側面視コ字状に形成された固定レール１４が、前後方向に沿ってそれぞれ固着されている。そして引出体１３を構成する左右の側板１３ｂ外面に、摺動レール１５が前後方向に沿ってそれぞれ固着されるとともに、固定レール１４のコ字状の開口に前後方向にそれぞれ嵌挿されている。また、引出体１３の底板下面には、左右方向及び前後方向に所定に離間した４箇所に、キャスタ２６が設けられている。そして、踏み台付き引出体１１を収納位置に押込み若しくは引出すことで、踏み台付き引出体１１の摺動レール１５が固定レール１４に沿って摺動し、踏み台付き引出体１１が本体２に対しスムーズに移動自在となる。
【００２７】
次に、踏み台付き引出体１１の引出位置におけるロック機構について説明する。
【００２８】
先ず、引出体１３の左右両側板１３ｂ、１３ｂ外面に沿って、摺動レール１５よりも上方箇所に、係合レバー１６、１６がそれぞれ前後方向に設けられている。尚、左右両側板１３ｂ、１３ｂ外面にそれぞれ設けられている係合レバー１６、１６及び附属するその他の部材は、同じ構造を有しているため、以下、一方側の係合レバー１６に関する構造について説明し、他方側の係合レバー１６の説明は省略する。
【００２９】
係合レバー１６は、より具体的には、磁性を有する金属から主として成るとともに、後方部が斜下方に向かったテーパ部１６ａに形成されており、側板１３ｂ前方部において枢支された回動部１６ｂを中心に、左右方向の仮想の回動軸周りに所定角度回動可能に設けられている。また、係合レバー１６の略中央側の適所には、上下方向に延びる開口部１６ｄが形成されており、この開口部１６ｄに、引出体１３の側板１３ｂに固着された突起部１３ｃが嵌挿されている。このようにすることで、開口部１６ｄに嵌挿された突起部１３ｃが、係合レバー１６の回動の際におけるガイドとして機能する。
【００３０】
また、引出体１３の側板１３ｂ外面における係合レバー１６の上方側の適所に、保持手段としてのマグネット１７が、磁気を備えた磁気面を下方に向けて、固定に取付けられている。更に、本体２内部の側板２ａにおける後方側の適所には、保持状態解除部材としての解除ピン１８が、内方の引出体１３側に向かって突設され、後述のように係合レバー１６のテーパ部１６ａに当接可能に設けられている。
【００３１】
次に、図４（ａ）に示されるように、踏み台付き引出体１１の係合について説明すると、踏み台付き引出体１１が、キッチン台１の本体２に収納された収納位置と、本体２から十分に引出された引出位置との間に位置している場合、踏み台付き引出体１１は、係合レバー１６の後端部が固定レール１４の上面に当接した位置、すなわち係合待機位置で、前後方向に移動自在と成っている。
【００３２】
次に、図４（ｂ）に示されるように、踏み台付き引出体１１が、引出位置に位置した場合、固定レール１４の上面に当接していた係合レバー１６の後端部１６ｃが、固定レール１４の上面から外れて自重により下方に回動し、摺動レール１５の上面に当接するとともに後端部１６ｃが固定レール１４の前端部１４ａと係合する位置、すなわち上記した係合待機位置よりも下方の係合位置に移動する（図示点線部参照）。この係合位置においては、引出体１３の側板１３ｂに枢支された係合レバー１６の後端部１６ｃが、キッチン台１の本体２の側板２ａに固着された固定レール１４の前端部１４ａと係合することで、踏み台付き引出体１１の後方への引き出し方向の移動が規制される。
【００３３】
このように、踏み台付き引出体１１を引き出し方向に移動自在に支持する固定レール１４及び摺動レール１５を利用して係合レバー１６を係合位置において係合させることができるため、キッチン台１の本体２側に被係合部等を別個に設けなくて済む。
【００３４】
また、係合レバー１６は、引出体１３の左右側板１３ｂの外面に沿ってそれぞれ上下移動自在に設けられていることで、左右幅方向に特段のスペースをとらずに済むため、本体２の左右幅方向の収納スペースが小さくなることを防止できる。
【００３５】
尚、固定レール１４の前端部所定箇所に図示しない係止部が突設されているとともに、摺動レール１５の後端部所定箇所に図示しない突出部が設けられており、上記した踏み台の引出位置において、固定レール１４の前記係止部と摺動レール１５の前記突出部とが当接することで、踏み台付き引出体１１が本体２から抜け出すことを防止している。
【００３６】
次いで、図４（ｂ）に示されるように、踏み台付き引出体１１の係合解除について説明すると、上述した係合位置にある左右の係合レバー１６を、上方に向けて回動して上方移動操作し、係合レバー１６の上面をマグネット１７の下方を向く磁気面に当接させ、磁力により保持することで、左右の係合レバー１６を上記した係合位置及び係合待機位置よりも上方であって係合レバー１６の後端部１６ｃと固定レール１４の前端部１４ａとの係合が解除された係合解除位置に保持する。このように、係合レバー１６が係合解除位置に位置することで、踏み台付き引出体１１は、引き出し方向に本体２に対して前後移動自在となる。
【００３７】
このように、係合レバー１６は、引出体１３の左右側板１３ｂの外面に沿ってそれぞれ前後幅方向にわたり延設されていることで、係合レバー１６を保持する上方移動操作を引出体１３の前方側で簡便に行うことができる。
【００３８】
次に、図４（ｃ）に示されるように、踏み台付き引出体１１を収納位置に向けて押し込むに従い、係合レバー１６のテーパ部１６ａが、本体２に固着された解除ピン１８と当接して漸次下方に押圧され、係合レバー１６はマグネット１７から離れて自重により下方に回動し、係合レバー１６の後端部１６ｃが再び固定レール１４の上面に当接した係合待機位置に戻る。すなわち、係合レバー１６の保持状態が解除され、踏み台付き引出体１１は、係合レバー１６が係合待機位置にいる状態で前後方向に移動自在と成る。
【００３９】
上述したように、踏み台付き引出体１１を収納位置から引き出して使用する際には、引出位置において係合レバー１６が自重により係合待機位置から下方の係合位置まで移動して本体所定箇所に係合することで、引き出し方向への移動が規制される。踏み台付き引出体１１を収納する際には、左右の係合レバー１６それぞれを別々に上方移動操作して保持手段としてのマグネット１７に保持させておくことができるため、踏み台付き引出体１１の形状寸法が大きい場合でも、左右の係合レバー１６を確実に係合解除位置に保持した状態で収納することができる。
【００４０】
また、踏み台付き引出体１１を収納位置に収納することで、係合解除位置に保持された係合レバー１６は保持状態解除部材としての解除ピン１８により係合待機位置まで自重により移動するため、次回引き出すときに係合レバー１６が保持手段により保持されたままで係合が行われないといった事態を回避できる。
【００４１】
また、係合レバー１６は自重により係合待機位置から係合位置まで移動するため、簡単な機構で移動規制を行うことができる。
【００４２】
また、このように、保持手段はマグネット１７であり、係合レバー１６を磁力により保持可能であるとともに、保持状態解除部材は係合レバー１６に当接可能に設けられた解除ピン１８であることで、係合レバー１６の保持及び保持解除を簡単な機構で行うことができる。
【００４３】
更に、引出体１３の左右側板１３ｂに一対に設けられた係合レバー１６により、踏み台付き引出体１１の左右幅寸法が大きい場合であっても、踏み台付き引出体１１を左右方向に安定して本体所定箇所に係合させることができる。
【００４４】
次に、図５に示されるように、踏み台付き引出体１１の踏み台１２の開閉構造について説明すると、踏み台１２は、後端部においてヒンジ部２４により引出体１３と連結されており、左右方向の仮想の回動軸回りに回動することで、引出体１３の上部開口を開閉可能に成っている。また、ヒンジ部２４とは別に、踏み台１２と引出体１３とを連結する調節式の連結部材２５が設けられており、この連結部材２５により、踏み台１２が引出体１３の上部開口を所定角度で開放した状態を保持できる。
【００４５】
尚、踏み台の開閉構造については、必ずしも本実施例に限定されるものではなく、例えば、踏み台がスライド式に移動して引出体の上部開口を開閉するものであってもよい。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、上記実施例では、キッチン台１は、アイランド型のキッチン台であって、天板にシンク５や調理部としてコンロ４が設けられているが、キッチン台の型や、シンクまたは調理部の配置については、必ずしも本実施例に限られず、例えばＩ型やＬ型のキッチン台であってもよいし、また、天板にシンクまたは調理部のみが設けられたキッチン台であっても構わない。
【００４８】
また、上記実施例では、キッチン台１の右側の側面及び背面の２箇所において踏み台付き引出体１１、２１の出入口１９、２９が設けられているが、出入口の設けられる位置は、キッチン台の正面とは異なる側面若しくは背面の少なくともいずれか一方であれば、具体的な設置位置や数量は、必ずしも本実施例に限られない。
【００４９】
また、上記実施例では、係合レバー１６は、引出体１３の前方部において枢支された回動部１６ｂを中心に、左右方向の仮想の回動軸回りに回動可能であって、係合待機位置、係合位置、及び係合解除位置に移動可能に設けられているが、係合レバーは、例えば前後方向の回動軸回りに回動可能であって、係合待機位置、係合位置、及び係合解除位置に移動可能に設けられていてもよい。
【００５０】
更に、上記実施例では、係合レバー１６は、固定レール１４の前端部１４ａと係合しているが、係合位置は、固定レールの前端部に限られず、例えばキャビネット本体の側板、天板、仕切板、底板などの木口や、キャビネット本体に別段に設けられた係合用部品であってもよい。
【００５１】
また、上記実施例では、係合レバー１６は、回動部１６ｂに枢支されており、係合位置と係合解除位置との間を回動自在に設けられているが、例えば、係合レバーは、上下方向にスライド移動することで、係合位置と係合解除位置との間を移動自在に設けられていてもよい。また、上記実施例では、係合レバー１６は、引出体１３の左右側板１３ｂに一対に設けられているが、例えば、係合レバーは引出体の左右いずれか一方の側板のみに設けられていてもよい。
【００５２】
更に、上記実施例では、キャビネットとしてキッチン台１が示されているが、キャビネットは、必ずしもキッチン台に限られず、例えば、棚板を備えた陳列棚であっても構わない。
【００５３】
また、上記実施例では、保持手段としてマグネット１７が示され、保持状態解除手段として解除ピン１８が示されているが、例えば、保持手段としてバネ等の弾性体で略水平方向に付勢されたテーパ部材が設けられるとともに、該テーパ部材に係止可能な鉤部材が係合レバーに突設されており、係合レバーが上方移動するに従い、前記鉤部材が前記テーパ部材を反付勢方向に押し戻しつつテーパ部材の上方に入り込み、前記テーパ部材が再び前記弾性体により付勢されて前記鉤部材が係止されることで、係合レバーが保持されてもよい。また、保持状態解除手段として、前記テーパ部材と当接可能な解除面を有する解除面体がキャビネット側に設けられ、引出体をキャビネットの本体に押し込むことで前記テーパ部材が前記解除面体と当接することにより、テーパ部材が反付勢方向に押し戻されて、前記鉤部材の係止が外れ、係合レバーの保持状態が解除されてもよい。
【図面の簡単な説明】
【００５４】
【図１】本発明の実施例におけるキッチン台の全体像を示す斜視図である。
【図２】（ａ）は、キッチン台の上面図であり、（ｂ）は、キッチン台の背面図であり、（ｃ）は、右側面図である。
【図３】（ａ）、はキッチン台の本体に収納された踏み台付き引出体を示す右側面図であり、（ｂ）は、キッチン台の本体から引出された踏み台付き引出体を示す背面図である。
【図４】（ａ）は、収納位置と引出位置との間における踏み台付き引出体を示す拡大側面図であり、（ｂ）は、引出位置における踏み台付き引出体を示す拡大側面図であり、（ｃ）は、収納位置における踏み台付き引出体を示す拡大側面図である。
【図５】踏み台の開閉状況を示す側面図である。
【符号の説明】
【００５５】
１                キッチン台（キャビネット）
２                本体
３                天板
４                コンロ
５                シンク
７                調理台
８                調理台
１１              踏み台付き引出体
１２              踏み台
１３              引出体
１３ａ            収納部
１３ｂ            側板
１４              固定レール
１５              摺動レール
１６              係合レバー
１７              マグネット（保持手段）
１８              解除ピン（保持状態解除手段）
１９              出入口
２１              踏み台付き引出体
２２              踏み台
２３              引出体
２４              ヒンジ部
２９              出入口
【図１】
2008228754.tif 000003
【図２】
2008228754.tif 000004
【図３】
2008228754.tif 000005
【図４】
2008228754.tif 000006
【図５】
2008228754.tif 000007